(57)【特許請求の範囲】
【請求項１】
床パネルを支持機構に固定するため該支持機構の上に設置して用いる床パネル固定具において、
この床パネル固定具は上記支持機構に掛止する略Ｊ字状のフック部材と、
上記床パネルに係合して該床パネルの上方への移動を阻止するストッパーとを備えており、
上記床パネルに設けた開口部、又は隣接する上記床パネル同士の間隙に配設して用いるものであり、
上記フック部材は、
該フック部材の一端が回転自在に軸支され且つ該フック部材の他端が回転・逆回転により拡開・縮閉されるように構成されており、
しかも該フック部材の他端を自重により縮閉して該フック部材が上記支持機構に掛止される一方、該フック部材の他端を拡開して該フック部材と上記支持機構との掛止が解除されるように構成したことを特徴とする床パネル固定具。
【請求項２】
上記フック部材の他端の拡開を阻止する回転阻止手段が設けられた請求項１に記載の床パネル固定具。
【請求項３】
上記ストッパーの着脱が自在とされたホールド部材を備えており、そのストッパーがホールド部材に係止されることにより床パネルが支持機構に固定され、ストッパーとホールド部材との係止が解除されることにより床パネルと支持機構との固定が解除されるように構成されている請求項１又は２に記載の床パネル固定具。
【請求項４】
上記ホールド部材は、ストッパーの底面と当接するベースプレート坦面と、このベースプレート坦面から下方に切り欠かれた切欠部とを備えており、上記ストッパーは、本体プレート、この本体プレートと直交し床パネルに係合する棒状部及び本体プレートの一端からほぼ垂下してホールド部材の切欠部にはめ込まれる挿入部を備えており、上記棒状部は、この棒状部に上向き荷重がかかった場合にストッパーに回転モーメントが発生するように本体プレートの他端寄りに取り付けられており、上記回転モーメントが発生した場合に、挿入部の表面と切欠部の表面との当接箇所によりストッパーの回転が阻止されてストッパーの上昇が阻止され、ストッパーがホールド部材に係止されるように構成される請求項３に記載の床パネル固定具。
【発明の詳細な説明】
【０００１】
【発明の属する技術分野】
本発明は、床パネルを支持機構に固定するための床パネル固定具に関するものである。
【０００２】
【従来の技術】
半導体製造工場用や大型コンピュータ用のクリーンルームには、空調等の目的で、床フレーム等の支持機構上に床パネルの一種であるグレーチングが敷設された二重床が採用されている。この二重床では固定具により床フレームにグレーチングが固定され、さらに半導体製造設備やコンピュータ等の機器がグレーチングに固定される。これにより、地震発生時の機器の転倒が防止される。特に近年、震災による被害防止の気運が高まっており、施工時には前述の固定がなされていなかった既存のクリーンルームにおいても、床フレームとグレーチングとを固定する改装作業が進められつつある。
【０００３】
グレーチングを床フレームに固定する従来方法を、図６を参照しつつ説明する。コンクリート等の床下地Ｇの上に、下台座１０１、支柱１０３及び上台座１０５よりなる支持脚１０７が所定間隔を隔てて多数個設置され、支持機構が構成される。この支持脚１０７の上に、グレーチング１０９が敷設される。通常、一つの支持脚１０７には、隣接する４枚のグレーチング１０９のコーナー部分が載置されるが、図６では説明の便宜上紙面垂直方向奥寄りの２枚のグレーチング１０９のコーナー部分が示されている。両グレーチング１０９、１０９のコーナー部分の上には環状の座金１１１が置かれ、その座金１１１の中心から下方に止めネジ１１３が差し込まれる。止めネジ１１３は両グレーチング１０９、１０９の間隙空間を通過して、下方の上台座１０５にねじ込まれる。この座金１１１と止めネジ１１３とにより、グレーチング１０９が支持脚１０７に固定される。
【０００４】
なお、支持脚１０７の上に縦横に床フレーム（図示されず）を張りめぐらせてこれら支持脚１０７と床フレームとで支持機構を構成し、床フレームにグレーチング１０９が固定される二重床もある。
【０００５】
【発明が解決しようとする課題】
前述の従来の固定方法では、座金１１１及び止めネジの上面はグレーチング１０９の上面よりもさらに上方に位置する。従って、座金１１１等に作業者が躓いて危険である。また機器の傾きを防ぐためには、座金１１１上に機器を設置することができない。しかも、既に機器が設置された既存のクリーンルームを改装して機器の脚部近傍のグレーチング１０９を固定しようとしても、機器の脚部が妨げとなって座金１１１を設置することができない場合がある。さらに、固定されたグレーチング１０９をメンテナンス等の目的で剥がす場合には、いちいち工具で止めネジ１１３を抜く必要があり、多大の労力を要するという問題がある。
【０００６】
本発明はこれらの問題に鑑みてなされたものであり、床パネルよりも上方に突出することが無く、しかも床パネルを剥がす場合の労力が軽減される床パネル固定具を提供することをの目的とする。
【０００７】
【課題を解決するための手段】
上記した問題を解決するためになされた本発明は、床パネルを支持機構に固定するため支持機構の上に設置して用いる床パネル固定具において、この床パネル固定具は支持機構に掛止する略Ｊ字状のフック部材と、床パネルに係合して床パネルの上方への移動を阻止するストッパーとを備えており、床パネルに設けた開口部、又は隣接する床パネル同士の間隙に配設して用いるものであり、フック部材は、フック部材の一端が回転自在に軸支され且つフック部材の他端が回転・逆回転により拡開・縮閉されるように構成されており、しかもフック部材の他端を自重により縮閉してフック部材が支持機構に掛止される一方、フック部材の他端を拡開してフック部材と支持機構との掛止が解除されるように構成したことを特徴とする床パネル固定具、である（請求項１）。
【０００８】
この床パネル固定具は隣接する床パネル同士の間隙、又は床パネルに設けられた開口部に配設されて用いられるため、床パネル固定具の上面が床パネル上面よりも上方に位置することがほとんどない。従って、作業者が躓くことが無く、しかも床パネル固定具の上に機器を設置することが可能となる。また、図６に示された従来例の座金を有していないので、既設の機器の脚部近傍の床パネルにも適用できる。
【０００９】
また、支持機構に掛止する略Ｊ字状のフック部材を備えており、このフック部材の他端を縮閉し、フック部材が支持脚等の支持機構に掛止されることにより床パネルが支持機構に固定され、そのフック部材の他端を拡開し、このフック部材と支持機構との掛止が解除されることにより床パネルと支持機構との固定が解除されるように構成されているので、床パネルと支持機構との確実な固定を実現しつつ、必要に応じ容易に床パネルを剥がすことができる。
【００１０】
また、フック部材を回転させてこのフック部材の他端を拡開することにより容易に床パネル固定具を取付及び取外することができ、さらにまたフック部材を逆方向に回転させてこのフック部材の他端を縮閉することにより容易に床パネルを支持機構に固定することができる。そして、その床パネル固定具を支持機構の上に設置して用いた状態において、フック部材の他端を自重により縮閉してフック部材が支持機構に掛止されることにより床パネルが支持機構に固定されるように構成しているため、さらに容易に床パネルを支持機構に固定することができる。
【００１１】
また、この発明においてフック部材の他端の拡開を阻止する回転阻止手段を設ければ、振動等によりフック部材が回転してフック部材と支持機構との掛止が解除されてしまうのを防ぐことができる（請求項２）。
【００１２】
この発明において、ストッパーの着脱が自在とされたホールド部材を設け、ストッパーがホールド部材に係止されることにより床パネルが支持機構に固定され、ストッパーとホールド部材との係止が解除されることにより床パネルと支持機構との固定が解除されるように構成すれば、さらに容易に床パネルを剥がすことができるようになる（請求項３）。
【００１３】
具体的には、ホールド部材にストッパーの本体プレートの底面と当接するベースプレート坦面及びこのベースプレート坦面から下方に切り欠かれた切欠部を設け、ストッパーに本体プレート、この本体プレートと直交し床パネルに係合する棒状部及び本体プレートの一端からほぼ垂下してホールド部材の切欠部にはめ込まれる挿入部を設け、棒状部をこの棒状部に上向き荷重がかかった場合にストッパーに回転モーメントが発生するように本体プレートの他端寄りに取り付け、この回転モーメントが発生した場合に、挿入部の表面と切欠部の表面との当接箇所によりストッパーの回転が阻止されてストッパーの上昇が阻止され、ストッパーがホールド部材に掛止されるように構成すればよい（請求項４）。
【００１４】
【発明の実施の形態】
以下、図面を参照しつつ本発明を詳説する。
【００１５】
図１には本発明の一実施形態にかかる床パネル固定具Ｙの分解斜視図が示されている。この床パネル固定具Ｙは、ホールド部材１０、左右一対のストッパー２０、左右一対のフック部材３０及び前後一対のあて板４０を備えている。
【００１６】
ホールド部材１０は、主としてベースプレート１１から構成される。このベースプレート１１には、断面略逆Ｔ字状の切欠部１２が２箇所設けられている。また、ベースプレート１１の左右両側には、断面略半円状の凹部１３が設けられている。さらに、ベースプレート１１の下側中央には、突起部１４が形成されている。
【００１７】
ストッパー２０は、断面略逆Ｔ字状の本体ブロック２１と、この本体ブロック２１の上側中央に設けられて本体ブロック２１と直交する棒状部２２とから構成される。本体ブロック２１の外寸は、ホールド部材１０の切欠部１２の内寸よりも若干小さめとされている。棒状部２２の前後方向の長さは、組上がった床パネル固定具Ｙの前後方向の幅よりも大きく設定されている。
【００１８】
フック部材３０は断面略Ｊ字状である。フック部材３０の一端には軸支部３１が設けられており、この軸支部３１にはピン穴３２が穿設されている。ピン穴３２の内径は、後述するピン５０の外径よりも大きくされている。フック部材３０の他端は平坦な当接面３３とされている。
【００１９】
あて板４０は薄肉状であり、その左右方向の長さはホールド部材１０の左右方向の長さとほぼ同等とされている。あて板４０の上側には半円状の半円切欠部４１が２個ずつ形成されている。この半円切欠部４１の内寸は、ストッパー２０の棒状部２２の外寸よりも若干大きくされている。あて板４０の左右にはピン穴４２が穿設されている。
【００２０】
この床パネル固定具Ｙを組み立てるときは、まずホールド部材１０の切欠部１２にストッパー２０が緩挿される。次に、ホールド部材１０の凹部１３にフック部材３０の軸支部３１が載置される。次に、ホールド部材１０の前後からこのホールド部材１０にあて板４０、４０が当接される。そして、ピン５０が前側のあて板４０のピン穴４２、フック部材３０のピン穴３２そして奥側のあて板４０のピン穴４２の順に貫通させられ、カシメ等の図示されない既知の手段により固定される。これにより、ストッパー２０がホールド部材１０に固定されるとともに、フック部材３０が軸支部３１にて回転自在に軸支される。
【００２１】
次に図２及び図３を参照しつつ、本床パネル固定具Ｙを用いてグレーチング１０９を固定する方法を説明する。図２はグレーチング１０９間に床パネル固定具Ｙが設置されている様子が示された平面図であり、図３は図２のＡ−Ａ線に沿った一部断面図である。図３において、支持脚１０７及びグレーチング１０９は図６で示された従来例と同様のものである。グレーチング１０９は、多数の開口部１１５、この開口部の間に位置する中実部１１７及びグレーチング１０９の外周を形成する外枠１１９からなる。
【００２２】
本床パネル固定具Ｙを用いてグレーチング１０９を固定するには、まず、支持脚１０７の上台座１０５の上に所定間隔を隔てグレーチング１０９を載置する。次に、指等で両方のフック部材３０、３０を図３中矢印Ｒで示される方向に回転させてフック部材３０、３０を拡開させつつ、床パネル固定具Ｙを上台座１０５の上に設置する。この際、上台座１０５の中心に穿設された中心穴（図示されず）にホールド部材１０の突起部１４（図１参照）を挿入することにより、床パネル固定具Ｙの位置決めがなされる。もちろん、位置決めの必要がない場合は、中心穴及び突起部１４を省略してもよい。設置後、フック部材３０、３０から指を離すと、自重によりフック部材３０、３０は図３中矢印Ｒで示される方向とは逆の方向に回転して縮閉する。そして、当接面３３が上台座１０５の裏面に当接する。この結果、フック部材３０が支持脚１０７に掛止され、床パネル固定具Ｙの上方への移動が阻止される。
【００２３】
一方、グレーチング１０９の外枠１１９には略半円状の外枠切欠部１２１が切り欠かれており、この外枠切欠部１２１と床パネル固定具Ｙの棒状部２２とが係合する。そして、棒状部２２によりグレーチング１０９の上方への移動が阻止される。これにより、床パネル固定具Ｙを介して支持脚１０７とグレーチング１０９との固定が容易に達成される。
【００２４】
グレーチング１０９を剥がす場合には、両フック部材３０、３０を図３中矢印Ｒで示される方向に回転して拡開させ、フック部材３０と支持脚１０７との掛止を解除し、床パネル固定具Ｙを取り外す。これにより、支持脚１０７と床パネル固定具Ｙとの固定が解除され、容易にグレーチング１０９を剥がすことができる。
【００２５】
なお、必ずしもグレーチング１０９の外枠１１９に外枠切欠部１２１を切り欠く必要はないが、外枠切欠部１２１を切り欠くことによりストッパー２０の位置を低くすることができ、床パネル固定具Ｙのグレーチング１０９上面よりも上方への突出をほぼ防ぐことができるので好ましい。また、本床パネル固定具Ｙを隣接するグレーチング１０９、１０９の間隙ではなく開口部１１５内に配置して、グレーチング１０９の固定を行うこともできる。この場合は、棒状部２２と係合する切欠部をグレーチング１０９の中実部１１７に設ければよい。
【００２６】
また、この実施形態では支持脚１０７のみで支持機構を構成し、支持脚１０７に床パネル固定具Ｙを掛止させているが、支持脚１０７上に床フレーム（図示されず）を張り渡してこの支持脚１０７と床フレームとで支持機構を構成し、この床フレームに床パネル固定具Ｙを掛止してもよい。
【００２７】
本床パネル固定具Ｙには種々の材質の材料が適用できるが、強度向上の観点から、鋼、ステンレス鋼、銅合金、アルミニウム合金等の金属材料を用いることが好ましい。
【００２８】
図４には、本発明の他の実施形態にかかる床パネル固定具Ｙのホールド部材１０の一部とフック部材３０とが示されている。この床パネル固定具Ｙのストッパー２０、あて板４０等の構成は図１に示された実施形態と同様とされている。このフック部材３０には第２ピン穴３４が穿設されており、この第２ピン穴３４に挿入されたピン（図示されず）により、回転阻止手段としてのまわり止め３５が回転自在に軸支されている。この床パネル固定具Ｙを着脱する際には、まわり止め３５を図４中想像線（二点鎖線）で示すように起立させた状態で、図４中矢印Ｒで示される方向にフック部材３０を回転させ、拡開させる。
【００２９】
一方、フック部材３０が支持脚１０７と掛止した後は、まわり止め３５を図４中実線で示されるように倒して先端部３６をホールド部材１０の壁面に当接させる。こうすれば、フック部材３０が図４中矢印Ｒで示される方向に回転するのを阻止することができ、振動等でフック部材３０と支持脚１０７との掛止が解除されてしまうのを防ぐことができる。
【００３０】
図５には、本発明の他の実施形態にかかる床パネル固定具Ｙのホールド部材６０、ストッパー７０及びフック部材３０が示されている。フック部材３０の構成は、図１に示された床パネル固定具Ｙの場合と同様である。この床パネル固定具Ｙも、図１に示された床パネル固定具Ｙと同様のあて板４０が設けられているが、図５では説明の便宜上このあて板４０が省略されている。
【００３１】
ホールド部材６０は、主としてベースプレート６１から構成される。このベースプレート６１には、ストッパー７０の底面と当接するベースプレート坦面６２と、このベースプレート坦面６２から下方に切り欠かれた切欠部６３とが、それぞれ２箇所ずつ設けられている。ベースプレート６１の左右両側には、図１に示された床パネル固定具Ｙと同様に、断面略半円状の凹部６４が設けられている。さらに、ベースプレート６１の下側中央には、図１に示された床パネル固定具Ｙと同様の突起部１４が形成されている。
【００３２】
ストッパー７０は、主として本体プレート７１、挿入部７２及び棒状部７３からなる。挿入部７２は本体プレート７１の一端（床パネル固定具Ｙの中央寄りの端部。以下「第１端」という。）から斜め方向に垂下される。棒状部７３は本体プレート７１の他端（以下「第２端」という）寄りに、本体プレート７１と直交して設けられる。棒状部７３の長さは、床パネル固定具Ｙの厚みよりも大きく設定されている。本体プレート７１の第２端は、第１端側から第２端側に向かって上向きに傾斜する傾斜部７４が設けられている。
【００３３】
ストッパー７０の本体プレート７１の底面は、ホールド部材６０のベースプレート坦面６２と当接している。ストッパー７０の挿入部７２は、ホールド部材６０の切欠部６３にはめ込まれている。この状態では、棒状部７３はグレーチング１０９の外枠切欠部１２１（図２参照）と係合されている。地震によりグレーチング１０９が上方に剥がされようとする場合は、この棒状部７３には外枠切欠部１２１を介して上向きの荷重がかかる。棒状部７３は前述のように本体プレート７１の第２端寄りに設けられているので、棒状部７３に上向き荷重がかかった場合には、ストッパー７０自体には矢印Ｍで示された向きの回転モーメントが発生し、ストッパー７０が回転しようとする。しかし、挿入部７２の表面と切欠部６３の表面との当接箇所Ｐ、Ｑがこの回転を阻止し、結果として棒状部７３の上昇が阻止される。従って、グレーチング１０９の上方への移動が阻止され、グレーチング１０９が剥がれることがない。
【００３４】
なお、挿入部７２及び切欠部６３は、図５に示されるように当接部Ｐがいわゆるアンダーカット状となるような形状とされるのが好ましい。これにより、棒状部７３に上向き荷重がかかった場合のストッパー７０の上昇が、より確実に阻止される。
【００３５】
前述のようにストッパー７０には傾斜部７４が設けられており、この傾斜部７４とホールド部材６０のベースプレート坦面６２との間には間隙Ｋが生じている。ストッパー７０とホールド部材６０との係止が解除される際には、ストッパー７０の本体プレート７１の第２端寄りが下方に押圧され、間隙Ｋが狭められる。これによりストッパー７０が矢印Ｍで示された方向と逆方向に回転し、挿入部７２が切欠部６３から抜脱される。こうしてストッパー７０とホールド部材６０との係止が解除され、グレーチング１０９を剥がすことができるようになる。
【００３６】
すなわち、本床パネル固定具Ｙでは、図１に示された実施形態と同様のフック部材３０と支持脚１０７との掛止の解除に加えて、ストッパー７０とホールド部材６０との係止の解除によっても、グレーチング１０９と支持脚０７との固定を解除することができる。
【００３７】
この床パネル固定具Ｙにおいて、図４に示された実施形態と同様のまわり止め３５を設けてもよいのはもちろんである。
【００３８】
以上、クリーンルームを例にとり本発明を説明したが、本発明の床パネル固定具Ｙはクリーンルームに限られず、あらゆる用途の二重床に適用可能である。また、本発明の床パネル固定具Ｙによって固定される床パネルはグレーチング１０９には限られず、繊維強化コンクリートパネル（いわゆるＧＲＣ）、アルミダイキャストパネル等の全ての床パネルに適用可能である。
【００３９】
【発明の効果】
以上説明したように、本発明の床パネル固定具は床パネルよりも上方に突出することがほとんど無い。従って、作業者が躓くことがなく、床パネル固定具の上方に機器を設置しても機器が傾くことがなく、しかも既に機器が設置されている場合でもその機器の脚部近傍に床パネル固定具を設置することができるようになる。さらに、本発明の床パネル固定具は必要に応じ容易に支持機構から脱着できるので、容易に床パネルを剥がすことが可能となる。
【図面の簡単な説明】
【図１】図１は、本発明の一実施形態にかかる床パネル固定具の分解斜視図である。
【図２】図２は、図１に示された床パネル固定具にてグレーチングが固定された様子が示された平面図である。
【図３】図３は、図１に示された床パネル固定具にてグレーチングが固定された様子が示された、正面方向から見た一部断面図である。
【図４】図４は、本発明の他の実施形態にかかる床パネル固定具が示された一部省略図である。
【図５】図５は、本発明のさらに他の実施形態にかかる床パネル固定具が示された一部省略図である。
【図６】図６は、従来の床パネル固定方法が示された正面図である。
【符号の説明】
Ｙ・・・床パネル固定具
１０、６０・・・ホールド部材
２０、７０・・・ストッパー
２２、７３・・・棒状部
３０・・・フック部材
３５・・・まわり止め
４０・・・あて板
５０・・・ピン
６２・・・ベースプレート坦面
６３・・・切欠部
７１・・・本体部レート
７２・・・挿入部
Ｐ、Ｑ・・・当接箇所
Ｋ・・・間隙
【図１】
0003854695.tif 000002
【図２】
0003854695.tif 000003
【図３】
0003854695.tif 000004
【図４】
0003854695.tif 000005
【図５】
0003854695.tif 000006
【図６】
0003854695.tif 000007